(57)【要約】      （修正有）【課題】仏壇購入後において、仏壇の扉のデザインをユーザーが所望に変更できる仏壇を提供する。【解決手段】仏壇は、仏壇本体の前面側に開閉可能な左右一対の扉を備えると共に、左右一対の扉が、それぞれ扉本体５ａ、５ｂと、扉本体の前面側に着脱可能に取り付けられる複数の化粧パネル５１、５２とからなり、扉本体の前面側スペースを複数の領域に分割し、複数の領域の各々に複数の化粧パネルを任意に取り付けることにより、複数の化粧パネルの組み合わせによる所望のデザインの化粧面を扉本体の前面部に形成する。【選択図】図８
0003225911.tif 000002
【実用新案登録請求の範囲】
【請求項１】
仏壇本体の前面側に開閉可能な左右一対の扉を備えると共に、該左右一対の扉が、それぞれ扉本体と、該扉本体の前面側に着脱可能に取り付けられる複数の化粧パネルとからなり、上記扉本体の前面側スペースを複数の領域に分割し、該複数の領域の各々に上記複数の化粧パネルを任意に取り付けることによって、上記扉本体の前面部に上記複数の化粧パネルの組み合わせによる所望のデザインの化粧面を形成するようにしたことを特徴とする仏壇。
【請求項２】
分割された扉本体の前面側スペースの複数の領域の各々および対応する複数の化粧パネル裏面側の各々には、着脱可能な取り付け手段として、相互に吸着するマグネットが設けられていることを特徴とする請求項１記載の仏壇。
【請求項３】
扉前面部のデザインバリエーションを増やすための予備の化粧パネルが付設されていることを特徴とする請求項１又は２記載の仏壇。
【考案の詳細な説明】
【技術分野】
【０００１】
本願考案は、仏壇の構造に関し、特に扉前面部分のデザインを所望に変更できるようにした仏壇の構造に関するものである。
【背景技術】
【０００２】
昨今の仏壇は、モダン仏壇に代表されるように、住環境の変化に対応して、小型でシンプル、かつスタイリッシュな家具調の仏壇が多くなって来ており、供養の形態も大きく変化してきている。このような家具調の仏壇の場合、従来型の伝統的な様式から彫刻や宮殿を排し、家具との調和、インテリア性を重視した構造のものとなっており、リビングや洋室に置かれることが多い（たとえば特許文献１の仏壇を参照）。
【先行技術文献】
【特許文献】
【０００３】
【特許文献１】実用新案登録第３２０７８２０号公報
【考案の概要】
【考案が解決しようとする課題】
【０００４】
上記のような家具調仏壇の場合、仏壇内部のデザインも重要であるが、特に扉前面部分のデザインが重要であり、扉前面部分のデザインが仏壇自体のイメージを決めると言っても過言ではない。そのため、これまで市場に提供されている仏壇の場合にも、たとえば杢仕様のタモ材やウオールナット材とプレート仕様のステンレス材を組み合わせて扉前面に市松模様を形成したり、杢仕様の桜材に桜の花をプリントしたりと、種々の彩りを伴う斬新なデザインが施されている。
【０００５】
しかし、これまでの仏檀の扉部分のデザインは、当然ながら設計、製造時に決定されており、仏壇購入後にユーザーが自分のセンスで所望に変更するということはできないのが常識であった。これに対し、最近では、上記のような仏壇自体のデザインの変化（家具調化、インテリア化）と共に仏壇自体に対するユーザーの意識も大きく変化してきており、仏壇にも自分の感性に合ったインテリア同様のおしゃれさを求める傾向にある。
【０００６】
この出願の考案は、このような要望に応えるためになされたもので、仏壇の顔とも言える扉前面部分のデザインをユーザーが一定の範囲で所望に変更できるようにし、部屋の模様替えや置き場所の変更等に対応して、また自分の感性に応じて、仏壇の扉前面部分の模様替えができるようにした新しいタイプの仏壇を提供することを目的とするものである。
【課題を解決するための手段】
【０００７】
この出願は、上述のような課題を解決するために、次のような課題解決手段を備えて構成されている。
【０００８】
（１）請求項1の考案の課題解決手段
請求項1の考案の課題解決手段における仏壇は、仏壇本体の前面側に開閉可能な左右一対の扉を備えると共に、該左右一対の扉が、それぞれ扉本体と、該扉本体の前面側に着脱可能に取り付けられる複数の化粧パネルとからなり、上記扉本体の前面側スペースを複数の領域に分割し、該複数の領域の各々に上記複数の化粧パネルを任意に取り付けることによって、上記扉本体の前面部に上記複数の化粧パネルの組み合わせによる所望のデザインの化粧面を形成するようにしたことを特徴としている。
【０００９】
このような構成によると、扉本体の前面側スペースを複数の領域に分割し、同複数の領域の各々に任意に複数の化粧パネルを取り付けることにより、扉本体の前面部に複数の化粧パネルの組み合わせによる所望のデザインの化粧面を容易に形成することができるようになる。この場合、複数の化粧パネルは、少なくとも２種の異なるデザインのものにより構成される。
【００１０】
したがって、仏壇がこのような構成になっている場合、製造販売時には予めメーカー側が設定した基本となる所定の扉デザインで販売されたとしても、購入したユーザーは購入後に自分の好み、自分の感性で自由に扉のデザインを変更することができるようになり、仏壇のインテリア製品としての機能を大きく向上させることができる。
【００１１】
組み合わされる複数の化粧パネル各々のデザインが、彩りのあるお洒落なものであればあるほど、ユーザーにとって自分で扉デザインを変更（創作）する楽しみも生じる。
【００１２】
（２）請求項２の考案の課題解決手段
請求項２の考案の課題解決手段における仏壇は、上記請求項１の考案の課題解決手段における仏壇において、分割された扉本体の前面側スペースの複数の領域の各々および対応する複数の化粧パネル裏面側の各々には、着脱可能な取り付け手段として、相互に吸着するマグネットが設けられていることを特徴としている。
【００１３】
このような構成によると、分割された扉本体の前面側スペースの複数の領域に設けられたマグネットの各々および対応する複数の化粧パネルの裏面側に設けられたマグネットの各々により、着脱の容易な任意の取り付け手段が実現される。
【００１４】
この場合、各マグネットは、上記分割された扉本体の前面側スペースの複数の領域各々の中心部分および上記複数の化粧パネル各々の裏面側中心部分に相互に吸着可能な状態で埋設される。
【００１５】
（３）請求項３の考案の課題解決手段
請求項３の考案の課題解決手段における仏壇は、上記請求項１又は２の考案の課題解決手段における仏壇において、扉前面部のデザインバリエーションを増やすための予備の化粧パネルが付設されていることを特徴としている。
【００１６】
このような構成によると、扉前面部のデザインバリエーションを所望に増やすことが可能となり、デザインの質も変えることができるようになる。
【００１７】
したがって、一段とお洒落さ、ユニークさのある仏壇を提供することが可能となる。
【考案の効果】
【００１８】
以上の結果、この出願の考案によると、従来にはない、より斬新で、よりお洒落なインテリア性の高い仏壇を提供することが可能となる。
【００１９】
したがって、モダン仏壇に代表されるような家具調仏壇、現代型仏壇に非常に適したものとなる。
【図面の簡単な説明】
【００２０】
【図１】この出願の考案の実施の形態に係る仏壇の構成を示す正面図である。
【図２】この出願の考案の実施の形態に係る仏壇の構成を示す側面図である。
【図３】この出願の考案の実施の形態に係る仏壇の構成を示す平面図である。
【図４】この出願の考案の実施の形態に係る仏壇の扉部分の構成を示す拡大平面図である。
【図５】この出願の考案の実施の形態に係る仏壇の扉を開いた状態の構成を示す平面図である。
【図６】この出願の考案の実施の形態に係る仏檀の構成を示す縦断面図（図１のＡ−Ａ）である。
【図７】この出願の考案の実施の形態に係る仏壇の構成を示す横断面図（図１のＢ−Ｂ）である。
【図８】この出願の考案の実施の形態に係る仏壇の扉部分の構成を示す要部の拡大分解斜視図（化粧パネル取り付け構造の説明図）である。
【図９】この出願の考案の実施の形態に係る仏壇本体の化粧パネル２種類の構成例（デザイン例）（ａ）及び（ｂ）を示す正面図である。
【図１０】この出願の考案の実施の形態に係る仏壇の複数の領域に分割された扉本体前面部（化粧パネル取り付けスペース）の全体構成を示す正面図である。
【図１１】この出願の考案の実施の形態に係る仏壇の複数の領域に分割された扉本体前面部に取り付けられる化粧パネルの８種類（８パターン）の組み合わせ例を示す正面図である（図９の２種の化粧パネル各々の取り付け方を変えて実現される８種類のデザインパターン（イ）〜（チ）を示す正面図）。
【図１２】この出願の考案の実施の形態の変形例に係る仏壇の扉の基本となる４種類の化粧パネルの構成例（デザイン例）（ａ）〜（ｄ）を示す正面図である。
【図１３】この出願の考案の実施の形態の変形例に係る仏壇の構成を示す正面図である。
【考案を実施するための形態】
【００２１】
以下、この出願の考案に係る仏壇を実施するための形態について、詳細に説明する。
【００２２】
図１〜図１１は、この出願の考案の実施の形態に係る仏壇の全体および要部である扉部分の構成を示している。
【００２３】
この実施の形態における仏壇は、一例として、一般にモダン仏壇、家具調仏壇と呼ばれる、従来の伝統様式における仏壇のような彫刻や宮殿が無く、小型コンパクトで、リビングや洋室のチェストなどの上に載置することができるインテリア性の高い、スタイリッシュなデザインの仏壇（上置き型）が採用されている。
【００２４】
まず同図１〜図１１中において、符号１は、天板（上台輪）、符号２は、底板（下台輪）、符号３，３は、左右一対の側板、符号４は、背板、符号５，５は、天板１、底板２、左右一対の側板３，３、背板４により形成された仏壇本体の開口面部（前面部）に開閉可能に設けられた左右一対の扉、６，６は、上記底板２下部の左右両端側に設けられた脚部、７，７・・は、上記開閉可能な左右一対の扉５，５を上記左右一対の側板３，３の前端部上下に取り付ける蝶番（ヒンジ）、８は、上記仏壇本体内部にあって後方から前方に所定寸法延びて設けられた本尊棚兼位牌棚、１２は、上記底板２の下面位置にあって前後方向にスライド可能に設けられた所定の前後寸法を有する仏具板（膳引き）、１３は、上記天板１の下面側前端部に設けられた前桟（ＬＥＤライト台）、１４は、上記背板４の前面側に設けられた後背装飾部（縦スリット構造のバックボード）、１５は、前桟１３の背面に設けられたＬＥＤテープである。
【００２５】
上記左右一対の扉５，５は、それぞれ左右２枚の扉本体（戸板）５ａ，５ｂを上下一対の蝶番（ヒンジ）９，９を介して相互に折り畳み可能に連結し、各外端側の扉本体５ｂ、５ｂの上下両端部分を上述した蝶番（ヒンジ）７，７で上記左右一対の側板３，３の前端部上下に開閉可能に取り付けている（図１〜図３及び図５を参照）。これにより、観音開き構造の扉５，５が形成されている（特に図５を参照）。
【００２６】
同扉５，５の各左右２枚の扉本体（戸板）５ａ，５ｂ、５ａ，５ｂは、たとえば図８及び図１０に示すように、それぞれ上下方向に長い略１枚の板部材よりなり、この実施の形態の場合には、それぞれその前面側スペースが上方側から下方に縦及び横の各寸法がａの５つの正方形エリアに分割されており（同図中の仮想線を参照）、それら各正方形エリアの中心（図９中の対角線の交点）部分に位置して所定の直径の第１のマグネット１０ａ，１０ａ・・が同一面状態で埋設されている。
【００２７】
そして、これら各５つの正方形エリアのそれぞれに対して、同じく縦及び横の各寸法がａの正方形状で、所定の板厚ｂのブロック構造の化粧パネル５１、５２，５１，５２，５１、５３，５４，５３，５４，５３、５５，５６，５５，５６、５５、５７，５８，５７，５８，５７が同じく裏面側中心（対角線の交点）部分に設けた第２のマグネット１０ｂ、１０ｂ・・の吸着力を利用して着脱可能に取り付けられるようになっている（図１〜図４、図６、図７参照）。
【００２８】
上記第１のマグネット１０ａ，１０ａ・・及び第２のマグネット１０ｂ、１０ｂ・・は、それぞれネオジム磁石よりなり、それら相互の吸着作用により、適切な吸着力／脱着力を持った化粧パネル取り付け手段１０を構成している。
【００２９】
また、中央部側の扉本体５ｂ，５ｂの上端部裏面側には、上記天板1の前端部の第３のマグネット（ネオジム磁石）１１ａに対応する第４のマグネット（ネオジム磁石）１１ｂが設けられており、これらの相互の吸着によって、左右一対の扉５，５が閉状態に維持され、また脱着によって逆に開放されるようになっており、両マグネット１１ａ，１１ｂで扉５，５の開閉ロック手段１１を構成している。
【００３０】
この実施の形態の場合、上記化粧パネルは左右各２枚、合計４枚の扉本体５ａ，５ｂ、５ａ，５ｂについて、その前面に合計２０枚の化粧パネルを任意に組み合わせて取り付けることにより、たとえば図１に示すような所望の市松模様のデザインの扉５，５が形成されるようになっているが、図１に示されている合計２０枚の化粧パネルのうち、デザインの異なる化粧パネルは図１１の（イ）〜（チ）に示す８枚だけであり、これら８枚の化粧パネルも、実際には、図９の（ａ）（ｂ）に示す２種のデザインの化粧パネルを上下、左右の各位置を変えて取り付けることにより実現されている。
【００３１】
すなわち、この実施の形態の場合、図９の（ａ）（ｂ）に示す２種のデザインの化粧パネルは、たとえば図９（ａ）のものが所定の原木材の表面にステンレス製の化粧プレートを貼り付けたもの、図９（ｂ）のものが所定の原木材の表面にウオールナットの杢を貼り付けたものとなっている。図９（ａ）のステンレス製の化粧プレートの一側には、所定の幅の凹凸溝が設けられている。
【００３２】
これら２種の各化粧パネルには、それぞれその裏面側中心部分に所定の直径の円形の吸着面を有する第２のマグネット１０ｂ、１０ｂを埋設して構成されており、それらの各々の扉本体５ａ，５ｂの第１のマグネット１０ａ、１０ａを有する正方形の取り付けエリア（取り付け面）に対する取り付け方を９０度毎に位置を変えて取り付けるようにすると、それぞれ図１１の(イ)〜（ニ）及び（ホ）〜（チ）の４パターンの取り付け方ができ、合わせて８組（８パターン）の取り付け方が可能となる。そして、これを左右各２枚の扉体５ａ，５ｂ、５ａ，５ｂの全体全２０組の取り付け面に対し、ユーザー所望の好み、センスで組み合わせると、たとえば図１に示すような全体として市松模様を基本としながらも、図９（ａ）のステンレス製の化粧プレートと図９（ｂ）のウオールナットの化粧パネルが取り付け状態を変えて取り付けられることにより、自由で多様な変化に富んだ扉模様を実現することができることになる。この図１の市松模様は、ほんの一例であり、全２０組の取り付け方を自由に変えると、遥かに多くの変化に富んだバリエーションの扉デザインの実現が可能となる。
【００３３】
しかも、以上の構成では、上記扉５，５の各左右２枚の扉本体５ａ，５ｂ、５ａ，５ｂは、図８及び図９に示すように、それぞれ上下方向に長い略１枚の板部材よりなり、それぞれその前面側が上方側から下方に縦及び横の各寸法がａの複数の正方形エリアに区分され、それら各正方形エリアの中心（対角線の交点）部分に位置して所定の直径の円形の第１のマグネット１０ａ，１０ａ・・が略同一面状態で埋設されている。
【００３４】
そして、これら各複数の正方形エリアのそれぞれに対して、同じく縦及び横の各寸法がａの正方形状で、所定の板厚ｂのブロック構造の化粧パネル５１、５２，５１，５２，５１、５３，５４，５３，５４，５３、５５，５６，５５，５６、５５、５７，５８，５７，５８，５７が同じく裏面側中心（対角線の交点）部分に略同一面状態に設けた第２のマグネット１０ｂ、１０ｂ・・の磁気的な吸着力を利用して容易に取り付けられる。
【００３５】
したがって、各化粧パネル５１、５２，５１，５２，５１、５３，５４，５３，５４，５３、５５，５６，５５，５６、５５、５７，５８，５７，５８，５７は、それぞれその中心部に位置する第２のマグネット１０ｂ，１０ｂ・・部分を扉本体５ａ，５ｂ側の対応する第１のマグネット１０ａ，１０ａ・・部分に正確に対応させて取り付けさえすれば、容易に位置を合わせることができ、最後に縦横方向の位置調整を行えば（第１、第２のマグネット１０ａ、１０ｂ部分は吸着状態でも容易に相対回動及びスライドさせることができる）、容易かつ正確に図１のような取り付け状態を実現することができる。したがって、化粧パネルの取り付け、取り外しは、極めて容易である。
【００３６】
この結果、以上の構成の仏壇構造によれば、製造販売時には予めメーカー側が設定した基本となる所定の扉デザインで販売されたとしても、購入したユーザーは購入後に自分の好み、自分の感性で自由に扉のデザインを変更することができるようになり、仏壇のインテリア製品としての機能を大きく向上させることができる。
【００３７】
そして、上記組み合わされる複数の化粧パネル各々のデザイン（図９の（ａ）（ｂ））が、彩りのあるお洒落なものであればあるほど、ユーザーにとって自分で扉デザインを変更（創作）する楽しみも生じる。
【００３８】
その結果、以上の構成によると、従来にはない、より斬新で、よりお洒落な極めてインテリア性の高い仏壇を提供することが可能となる。したがって、モダン仏壇に代表されるような家具調仏壇、現代型仏壇に特に適したものとなる。
【００３９】
＜変形例＞
次に、図１２の（ａ）〜（ｄ）は、以上のような構成を前提として、上記図９の基本となる化粧パネルを４種類（４枚）のものに増やすと共に、図１２（ａ）：所定の原木に縦方向の木目が目立つカリンの杢を貼ったもの、図１２（ｂ）：所定の原木に木目模様が薄い桜の杢だけを貼ったもの（桜の花の印刷なし）、図１２（ｃ）：所定の原木に木目模様が薄い桜の花を印刷した桜の杢を貼ったもの、図１２（ｄ）所定の原木に木目模様が薄い桜の花と一片の花びらを印刷した桜の杢を貼ったもの、の４種類にデザインを変更し、それらとそれらの取り付け方の相違を組み合わせて、たとえば図１３のような新たな市松模様（デザイン）の扉５，５を形成することができるようにしたものである。
【００４０】
この図１３の変形例に係る扉デザインの場合、符号６１の化粧パネルは図１２（ａ）の化粧パネルそのままのもの、符号６２の化粧パネルは図１２（ｃ）の化粧パネルそのままのもの、符号６３の化粧パネルは図１２（ｂ）の化粧パネルそのままのもの、符号６４の化粧パネルは図１２（ｄ）の化粧パネルそのままのものであるが、符号６５の化粧パネルは図１２（ｄ）の化粧パネルの上下位置を１８０度変えたものである。
【００４１】
この場合において、上記図１２（ａ）の化粧パネルの上下位置を９０度変えたものを幾つか組み合わせると、カリンの木目模様が縦方向から横方向に変わり、より変化のあるバリエーションの扉デザインを実現することができる。
【００４２】
＜更なる変形例＞
以上のように、この出願の考案の実施の形態では、予め販売時に準備された所定数（以上の構成の場合、最低限必要な２０個）の化粧パネルをユーザーが所望に組み合わせて好みのデザインを実現するようになっている。そして、同構成でも、上述のように十分に変化に富んだバリエーションの扉デザインを実現することができる。
【００４３】
しかし、２０個の化粧パネルそれ自体を変更することなく、単に組み合わせの変更のみによるデザインの場合、バリエーションはともかく、質的なデザインの変更には限界がある。
【００４４】
そこで、以上のような本来の２０個の化粧パネルに加えて、新たに質的に異なるデザインの化粧パネルを幾つか予備の化粧パネルとして準備しておき、必要に応じて、それらの化粧パネルを用いて質感の異なる扉デザインを実現することも可能である。
【００４５】
このようにすると、より飽きの来ない、よりデザインフリーな新型家具調仏壇の提供が可能となる。
【符号の説明】
【００４６】
１は天板、２は底板、３は側板、４は背板、５は扉、５ａ，５ｂは扉本体、６は脚部、７は蝶番、８は本尊棚兼位牌棚、１０は吸着手段、１０ａは第１のマグネット、１０ｂは第２のマグネット、５１〜５８は化粧パネル、６１〜６５は化粧パネルである。
【図１】
0003225911.tif 000003
【図２】
0003225911.tif 000004
【図３】
0003225911.tif 000005
【図４】
0003225911.tif 000006
【図５】
0003225911.tif 000007
【図６】
0003225911.tif 000008
【図７】
0003225911.tif 000009
【図８】
0003225911.tif 000010
【図９】
0003225911.tif 000011
【図１０】
0003225911.tif 000012
【図１１】
0003225911.tif 000013
【図１２】
0003225911.tif 000014
【図１３】
0003225911.tif 000015